(57)【要約】【課題】設置型の画像プリント端末装置において、メディアパックに内蔵されたインクと用紙を用いて印刷を印刷手段と、装置に内蔵されたインクと用紙を用いて印刷を行う印刷手段を設けることで、数多くの操作性の向上を図る。【解決手段】ＣＰＵとＲＯＭとＲＡＭと、画像取込装置と画像表示装置とキー取込装置と、第１の印刷装置と第２の印刷装置と、料金徴収装置から構成され、第１の印刷装置は、画像プリント端末装置に内蔵されたインクと用紙を用いて印刷を行い、第２の印刷装置は、装着されたメディアパックに内蔵されたインクと用紙を用いて印刷を行う、画像プリント端末装置。【選択図】        図１
2004167927.tif 000002
【特許請求の範囲】
【請求項１】
印刷対象となる画像を取り込む画像取り込み手段１００と、取り込まれた画像を画面に表示する画像表示手段２００と、表示された画像を印刷対象画像として選択する画像選択手段３００と、選択された画像を印刷する画像印刷手段４００と、画像の印刷料金を課金する画像印刷課金手段５００と、この課金された料金を徴収する料金徴収手段６００とを、備えたことを特徴とする画像プリント端末装置。
【請求項２】
上記画像取り込み手段１００として、記憶メディア読込み装置により記憶メディア（例えば、ＣＦ、ＳＭ、ＳＤ、ＭＳ、ＦＤ）に格納されている画像を取り込む画像取込み手段１１０と、ネットワークを介してサーバー上から画像を取り込む画像取込み手段１２０と、無線もしくは有線により接続された画像撮影装置（例えば、デジタルカメラ）から画像を取り込む画像取込み手段１３０と、画像プリント端末装置に組込まれた画像撮影装置（例えば、デジタルカメラ）から画像を取り込む画像取込み手段１４０と、無線もしくは有線により接続もしくは内蔵された画像格納装置（例えば、ＦＤ、ＨＤ、ＭＯ、ＣＤ−ＲＯＭ、ＤＶＤ）から画像を取り込む画像取込み手段１５０と、無線もしくは有線により接続もしくは内蔵された画像取込み装置（例えば、スキャナ）から画像を取り込む画像取込み手段１６０と、の画像取込み手段の中から１つ以上の画像取込み手段を有することを特徴とする、請求項１に記載の画像プリント端末装置。
【請求項３】
上記画像印刷手段４００として、画像プリント装置内に用意されたインクおよび用紙も用いて印刷を行う第１の画像印刷手段４３０と、画像プリント装置外からカートリッジ４１０により供給されるインクおよび用紙を用いて印刷を行う第２の画像印刷手段４４０と、どちらの印刷手段を用いて印刷を行うかを指示する印刷実行指示手段４２０と、を有することを特徴とする請求項１に記載の画像プリント端末装置。
【請求項４】
インク４１１と用紙４１２と記憶メモリ４１３から構成され、該記憶メモリ４１３には、用紙の種別情報、用紙に画像を配置するためのレイアウト情報、さらには、画像に背景などを重ねる場合の付加情報など、の各種情報が記憶されており、この記憶された情報にもとづき印刷処理が行われる、ことを特徴とする請求項３に記載のカートリッジ４１０。
【請求項５】
画像プリント装置内に用意されたインクおよび用紙の残量を検知し、残検エラーを通知する残検エラー検知手段４３１と、印刷不能となる印刷エラーを検知し、印刷不能エラーを通知する印刷不能エラー検知手段４３２と、印刷続行が可能となる印刷エラーを検知し、印刷続行可能エラーを通知する印刷続行可能エラー検知手段４３３とを、有することを特徴とする請求項３に記載の第１の画像印刷手段４３０を有し、残検エラーおよび印刷不能エラーを検知した場合には、メンテナンスエラーを通知するメンテナンスエラー通知手段４５０と、印刷続行可能エラーを検知した場合には印刷エラーとなった画像の再印刷を行うリカバー印刷手段４６０と、リカバー印刷がなされたことを通知するリカバー印刷通知手段４７０とを、有することを特徴とする請求項１に記載の画像印刷手段４００。
【請求項６】
画像プリント装置外から供給されたインクおよび用紙の残量を検知し、残検エラーを通知する残検エラー検知手段４４１と、印刷不能となる印刷エラーを検知し、印刷不能エラーを通知する印刷不能エラー検知手段４４２と、印刷続行が可能となる印刷エラーを検知し、印刷続行可能エラーを通知する印刷続行可能エラー検知手段４４３とを、有することを特徴とする請求項３に記載の第２の画像印刷手段４４０を有し、残検エラーを検知した場合、および印刷不能エラーを検知した場合には、ユーザー確認の上、第１の印刷手段を用いた印刷処理への切替えを行う印刷機能切替え手段４８０と、印刷続行可能エラーを検知した場合には、第１の画像印刷手段を用いて、印刷エラーとなった画像の再印刷を行うリカバー印刷手段４６０と、リカバー印刷がなされたことを通知するリカバー印刷通知手段４７０とを、有することを特徴とする請求項１に記載の画像印刷手段４００。
【請求項７】
供給元残検エラーと印刷不能エラーを検知した場合には、エラー内容をカートリッジ４１０の記憶メモリ４１３に記憶するエラー記憶手段４８１と、エラー内容を表示するエラー表示手段４８２と、ユーザー確認の後、印刷手段の切替え指示を受けて、印刷手段を第１の印刷手段に切替える印刷切替え手段４８３と、を有することを特徴とする請求項６に記載の印刷機能切替え手段４８０。
【請求項８】
請求項３に記載の印刷実行指示手段４２０として、外部供給検知手段４２１により、画像プリント装置外からインクおよび用紙が供給されたことを検知した場合には、自動的に第２の画像印刷手段４４０を優先して指示する自動印刷指示手段４２２、を有することを特徴とする請求項１に記載の画像印刷手段４００。
【請求項９】
請求項３に記載の印刷実行指示手段４２０として、外部供給検知手段４２１により、画像プリント装置外からインクおよび用紙が供給されたことを検知した後、印刷実行確認手段４２３により操作者からの指示入力を取得し、第１の画像印刷手段４３０もしくは第２の画像印刷手段４４０のどちらか一方の印刷手段を指示するユーザー印刷指示手段４２４、を有することを特徴とする請求項１に記載の画像印刷手段４００。
【請求項１０】
画像プリント装置外から供給されたインクおよび用紙に関する情報を取得する外部供給情報取得手段４２３１と、画像プリント装置内に用意されているインクおよび用紙に関する情報を取得する内部供給情報取得手段４２３２と、両供給情報取得手段により取得したインクおよび用紙に関する供給情報を表示する供給情報表示手段４２３３と、該供給情報表示手段により情報を表示した後、操作者からの指示入力を取得するユーザー指示取得手段４２３４と、を有することを特徴とする請求項９に記載の印刷実行確認手段４２３。
【請求項１１】
供給情報の内容をガイダンス形式により表示する供給情報ガイダンス表示手段４２３３１、もしくは取得した供給情報にもとづき印刷プレビュー情報を作成し表示を行う供給情報印刷プレビュー表示手段４２３３２の、いずれか一方もしくは両方の表示手段により供給情報を表示する、ことを特徴とする請求項１０に記載の供給情報表示手段４２３３。
【請求項１２】
上記画像印刷課金手段５００として、印刷枚数に応じた印刷料金を算出する印刷料金算出手段５１０と、第２の画像印刷手段を用いて印刷を行った印刷料金を算出する第２印刷料金算出手段５２０と、リカバー印刷により印刷を行った印刷料金を算出するリカバー印刷料金算出手段５３０と、印刷料金算出手段５１０により算出された印刷料金から、第２印刷料金算出手段５２０により算出された印刷料金とリカバー印刷料金算出手段５３０により算出された印刷料金を差し引き、画像印刷料金として課金を行う画像印刷料金課金手段５４０を、有することを特徴とする請求項１に記載の画像プリント端末装置。
さらには、印刷料金算出手段５１０とリカバー印刷算出手段５３０において、インクおよび用紙に割り当てられた料金に、印刷画像に対するライセンス料金を加味した印刷料金の算出を行い、第２の画像印刷料金算出手段５２０において、インクおよび用紙に割り当てられた料金のみを算出するようにすることで、ライセンス料の発生する画像に対しても、画像印刷料金の課金が行えることをも特徴とした、請求項１に記載の画像プリント端末装置。
【請求項１３】
上記料金徴収手段６００として、現金を徴収する現金徴収手段６１０と、プリペイドカードによる料金の徴収を行うプリペイドカード決算手段６２０と、キャッシュカードによる電子決算を行う電子決算手段６３０と、の少なくとも１つ以上の料金徴収手段を有することを特徴とする請求項１に記載の画像プリント端末装置。
【発明の詳細な説明】
【０００１】
【発明の属する技術分野】
本発明は、デジタルカメラやデジタルビデオなどにより撮影されたデジタル画像をプリントし、街角・店頭・街頭などに設置されプリントサービスを行う、設置型の画像プリント端末装置に関する。
【０００２】
【従来の技術】従来この種の画像プリント端末装置においては、デジタルカメラなどで撮影されたデジタル画像を、記憶メディアに格納し、この記憶メディアを介してプリントするものや、ネットワーク上のサーバーに格納し、ネットワークを介してプリントするものや、画像プリント端末装置に設置されているデジタルカメラを用いて、直接撮影したものをプリントするものなど、数多くの画像プリント端末装置に関する提案がなされている。
【０００３】
具体的には、
１）登録番号：特登録０３０９３２８６では、画像プリント端末装置に設置されているデジタルカメラを用いて、直接撮影したものを予め用意された前景や背景画像と合成してプリントする画像プリント端末装置に関する提案がなされている。
【０００４】
２）公開番号：特開平１１−１５４２１８では、写真に関するサービスをインターネットなどのネットワークを介して顧客に提供するネットワークフォトサービスシステムに関する提案がなされている。
【０００５】
３）公開番号：特開平１０−３３７８５６では、デジタルカメラで撮影された画像をプリントする際に、印刷待ち時間を有効に利用することができる画像プリント端末装置に関する提案がなされている。
【０００６】
４）公開番号：特開２０００−３４７８３０では、内蔵された２つの異なる印刷媒体（ポストカードとシール紙）に対して、２つのプリンタを用いてプリントすることができる画像プリント端末装置に関する提案がなされている。
【０００７】
【発明が解決しようとする課題】
しかしながら、従来技術においては、いづれの技術においても、内蔵されたインクと用紙を用いて印刷を行うものであり、自由度のない固定的なフォーマットにより印刷がなされるか、所望のフォーマットで印刷させるためには印刷フォーマットを指定するための操作が必要となる、という制約を操作者に与えていた。
【０００８】
公開番号：特開２０００−３４７８３０において、内蔵された２つの異なる印刷媒体（ポストカードとシール紙）に対して、２つのプリンタを用いてプリントすることができるような工夫を加えてはいるが、印刷媒体が切替えられるだけであり、指定された印刷媒体で所望のフォーマットにより印刷させようとする場合には、所望の印刷フォーマットを指定するための操作が必要となる制約に対する解決には至っていない。
【０００９】
たとえば、ポストカードに印刷する場合、写真に背景画像や付加情報を合成させて印刷させようとする場合には、背景画像や付加情報を指定する操作や、レイアウトを指定する操作が必要となるであろうし、シール紙に印刷する場合には、内蔵されたシール紙に印刷するため、固定サイズによるシールにしか印刷できないであろう、といったことが想像される。
【００１０】
本発明は、以上の点を鑑みなされたものであり、本発明を用いれば、
１）画像プリント端末装置の外部から、カートリッジによるインクと用紙の供給が可能であり、カートリッジ毎の用紙の種別情報、レイアウト情報に対応して印刷処理が実行されるため、カートリッジを装着するだけの簡単な操作で、所望の印刷フォーマットによる印刷ができるようになる。たとえば、９面シールのカートリッジを装着すれば、９面シールで印刷できるし、１６面シールのカートリッジを装着すれば、１６面シールで印刷できるようになる。
【００１１】
２）予め背景画像や付加情報が印刷された用紙を内蔵し、写真（画像）の配置先および印刷形式をレイアウト情報により記憶メモリに記憶させたカートリッジを用意することにより、このカートリッジを装着するだけの簡単な操作で、写真に背景画像や付加情報を合成させた印刷ができるようになる。
【００１２】
３）カートリッジ内のインクと用紙を用いて印刷を行った場合には、インクおよび用紙に割り当てられた料金を差し引いて印刷料金の計算を行うよう、課金方法を工夫することにより、カートリッジを装着するだけの簡単な操作で、料金を払わなくても印刷できるという仕組みが可能になる。これにより、各種バリエーションに富んだカートリッジを作成し、販売するという、カートリッジによるビジネスモデルも実現できるようになる。
【００１３】
さらに、本発明によれば
４）リカバー印刷機能を搭載することにより、必ず印刷エラーのない印刷物をユーザーに提供できるようになる。
【００１４】
５）印刷切替え機能を搭載することにより、カートリッジ内のインクおよび用紙がなくなった場合、もしくはカートリッジの不良が発生した場合においても、画像プリンタ端末装置に内蔵されたインクと用紙を用いて、継続して印刷処理が実行できるようになる。さらには、エラー内容がカートリッジ内の記憶メモリに記憶されるので、記憶メモリを読み出すだけで、エラー内容が識別できるようになる。
【００１５】
６）ユーザーによる印刷実行確認機能を搭載することにより、内蔵されたインクと用紙を用いた場合の印刷情報、カートリッジ内のインクと用紙を用いた場合の印刷情報、のそれぞれの印刷情報を確認した後、どちらで印刷するかをユーザーが確認できるようになる。
【００１６】
７）印刷情報の確認に際して、印刷プレビュー機能を搭載することにより、印刷情報にもとづき印刷プレビューが作成され、印刷プレビューにより、印刷情報が確認できるようになる。
【００１７】
８）カートリッジ内の記憶メモリに、内蔵された用紙に印刷された背景画像と付加情報に関する識別情報を記憶させ、この識別情報に対応した画像データを画像プリント端末装置において取得できるようにすれば、内蔵されたインクと用紙を用いても、カートリッジ内に内蔵された用紙と同等の印刷ができるようになる。
【００１８】
という機能が実現できるようになり、従来技術では為し得なかった問題点が解決できるようになり、操作性の向上を図ることができるようになる。
【００１９】
【課題を解決するための手段】
請求項１に記載した画像プリント端末装置は、印刷対象となる画像を取り込む画像取り込み手段１００と、取り込まれた画像を画面に表示する画像表示手段２００と、表示された画像を印刷対象画像として選択する画像選択手段３００と、選択された画像を印刷する画像印刷手段４００と、画像の印刷料金を課金する画像印刷課金手段５００と、この課金された料金を徴収する料金徴収手段６００とを、有することを特徴とする。
【００２０】
請求項２に記載した画像取り込み手段１００は、記憶メディア読込み装置により記憶メディア（例えば、ＣＦ、ＳＭ、ＳＤ、ＭＳ、ＦＤ）に格納されている画像を取り込む画像取込み手段１１０と、ネットワークを介してサーバー上から画像を取り込む画像取込み手段１２０と、無線もしくは有線により接続された画像撮影装置（例えば、デジタルカメラ）から画像を取り込む画像取込み手段１３０と、画像プリント端末装置に組込まれた画像撮影装置（例えば、デジタルカメラ）から画像を取り込む画像取込み手段１４０と、無線もしくは有線により接続もしくは内蔵された画像格納装置（例えば、ＦＤ、ＨＤ、ＭＯ、ＣＤ−ＲＯＭ、ＤＶＤ）から画像を取り込む画像取込み手段１５０と、無線もしくは有線により接続もしくは内蔵された画像取込み装置（例えば、スキャナ）から画像を取り込む画像取込み手段１６０と、の画像取込み手段の中から１つ以上の画像取込み手段を有することを特徴とする。
【００２１】
請求項３に記載した画像印刷手段４００は、画像プリント装置内に用意されたインクおよび用紙も用いて印刷を行う第１の画像印刷手段４３０と、画像プリント装置外からカートリッジ４１０により供給されるインクおよび用紙を用いて印刷を行う第２の画像印刷手段４４０と、どちらの印刷手段を用いて印刷を行うかを指示する印刷実行指示手段４２０と、を有することを特徴とする。
【００２２】
請求項４に記載したカートリッジ４１０は、インク４１１と用紙４１２と記憶メモリ４１３から構成され、該記憶メモリ４１３には、用紙の種別情報、用紙に画像を配置するためのレイアウト情報、さらには、画像に背景などを重ねる場合の付加情報など、の各種情報が記憶されており、この記憶された情報にもとづき印刷処理が行われる、ことを特徴とする。
【００２３】
請求項５に記載した画像印刷手段４００は、画像プリント装置内に用意されたインクおよび用紙の残量を検知し、残検エラーを通知する残検エラー検知手段４３１と、印刷不能となる印刷エラーを検知し、印刷不能エラーを通知する印刷不能エラー検知手段４３２と、印刷続行が可能となる印刷エラーを検知し、印刷続行可能エラーを通知する印刷続行可能エラー検知手段４３３とを、有することを特徴とする請求項３に記載の第１の画像印刷手段４３０を有し、残検エラーおよび印刷不能エラーを検知した場合には、メンテナンスエラーを通知するメンテナンスエラー通知手段４５０と、印刷続行可能エラーを検知した場合には印刷エラーとなった画像の再印刷を行うリカバー印刷手段４６０と、リカバー印刷がなされたことを通知するリカバー印刷通知手段４７０とを、有することを特徴とする。
【００２４】
請求項６に記載の画像印刷手段４００は、画像プリント装置外から供給されたインクおよび用紙の残量を検知し、残検エラーを通知する残検エラー検知手段４４１と、印刷不能となる印刷エラーを検知し、印刷不能エラーを通知する印刷不能エラー検知手段４４２と、印刷続行が可能となる印刷エラーを検知し、印刷続行可能エラーを通知する印刷続行可能エラー検知手段４４３とを、有することを特徴とする請求項３に記載の第２の画像印刷手段４４０を有し、残検エラーを検知した場合、および印刷不能エラーを検知した場合には、ユーザー確認の上、第１の印刷手段を用いた印刷処理への切替えを行う印刷機能切替え手段４８０と、印刷続行可能エラーを検知した場合には、第１の画像印刷手段を用いて、印刷エラーとなった画像の再印刷を行うリカバー印刷手段４６０と、リカバー印刷がなされたことを通知するリカバー印刷通知手段４７０とを、有することを特徴とする。
【００２５】
請求項７に記載の印刷機能切替え手段４８０は、供給元残検エラーと印刷不能エラーを検知した場合には、エラー内容をカートリッジ４１０の記憶メモリ４１３に記憶するエラー記憶手段４８１と、エラー内容を表示するエラー表示手段４８２と、ユーザー確認の後、印刷手段の切替え指示を受けて、印刷手段を第１の印刷手段に切替える印刷切替え手段４８３と、を有することを特徴とする。
【００２６】
請求項８に記載の印刷実行指示手段４２０は、外部供給検知手段４２１により、画像プリント装置外からインクおよび用紙が供給されたことを検知した場合には、自動的に第２の画像印刷手段４４０を優先して指示する自動印刷指示手段４２２、を有することを特徴とする。
【００２７】
請求項９に記載の印刷実行指示手段４２０は、外部供給検知手段４２１により、画像プリント装置外からインクおよび用紙が供給されたことを検知した後、印刷実行確認手段４２３により操作者からの指示入力を取得し、第１の画像印刷手段４３０もしくは第２の画像印刷手段４４０のどちらか一方の印刷手段を指示するユーザー印刷指示手段４２４、を有することを特徴とする。
【００２８】
請求項１０に記載の印刷実行確認手段４２３は、画像プリント装置外から供給されたインクおよび用紙に関する情報を取得する外部供給情報取得手段４２３１と、画像プリント装置内に用意されているインクおよび用紙に関する情報を取得する内部供給情報取得手段４２３２と、両供給情報取得手段により取得したインクおよび用紙に関する供給情報を表示する供給情報表示手段４２３３と、該供給情報表示手段により情報を表示した後、操作者からの指示入力を取得するユーザー指示取得手段４２３４と、を有することを特徴とする。
【００２９】
請求項１１に記載の供給情報表示手段４２３３は、供給情報の内容をガイダンス形式により表示する供給情報ガイダンス表示手段４２３３１、もしくは取得した供給情報にもとづき印刷プレビュー情報を作成し表示を行う供給情報印刷プレビュー表示手段４２３３２の、いずれか一方もしくは両方の表示手段により供給情報を表示する、ことを特徴とする。
【００３０】
請求項１２に記載の画像印刷課金手段５００は、印刷枚数に応じた印刷料金を算出する印刷料金算出手段５１０と、第２の画像印刷手段を用いて印刷を行った印刷料金を算出する第２印刷料金算出手段５２０と、リカバー印刷により印刷を行った印刷料金を算出するリカバー印刷料金算出手段５３０と、印刷料金算出手段５１０により算出された印刷料金から、第２印刷料金算出手段５２０により算出された印刷料金とリカバー印刷料金算出手段５３０により算出された印刷料金を差し引き、画像印刷料金として課金を行う画像印刷料金課金手段５４０を、有することを特徴とする。
【００３１】
さらには、印刷料金算出手段５１０とリカバー印刷算出手段５３０において、インクおよび用紙に割り当てられた料金に、印刷画像に対するライセンス料金を加味した印刷料金の算出を行い、第２の画像印刷料金算出手段５２０において、インクおよび用紙に割り当てられた料金のみを算出するようにすることで、ライセンス料の発生する画像に対しても、画像印刷料金の課金が行えることをも特徴とする。
【００３２】
請求項１３に記載の料金徴収手段６００は、現金を徴収する現金徴収手段６１０と、プリペイドカードによる料金の徴収を行うプリペイドカード決算手段６２０と、キャッシュカードによる電子決算を行う電子決算手段６３０と、の少なくとも１つ以上の料金徴収手段を有することを特徴とする。
【００３３】
【発明の実施の形態】
本発明における、実施形態の１例を、以下の実施例を用いて説明する。
【００３４】
本発明における画像プリント端末装置は、図０１０に示すように、ＣＰＵ１とＲＯＭ２とＲＡＭ３と、画像取込装置４と表示装置５とキー取り込み装置６と、第１の印刷装置７と第２の印刷装置８と、料金徴収装置９と、から構成される。
【００３５】
上記構成において、ＣＰＵ１では、ＲＯＭ２に記述された各種プログラムが実行され、必要に応じてＲＡＭ３にデータを書込み、参照する処理が行われる。
【００３６】
ＲＯＭ２には、上記の各装置を制御するためのプログラム、データ処理を行うためのプログラムやデータが記述されている。
【００３７】
ＲＡＭ３は、ＲＯＭ２に記述されたプログラムの実行に伴い、必要なデータが書込まれたり、参照されたりする。画像取り込み装置から取り込まれた画像が格納されたり、生成された印刷データが格納されたり、画像を表示するための表示メモリとして使用されたり、処理の実行に必要なワークメモリとして使用されたりする。
【００３８】
画像取込装置４では、印刷対象となる画像の取込みが行われ、ＲＡＭ３に格納される処理が行われる。画像取込装置としては、記憶メディアに格納されている画像データを取り込む取込装置や、ネットワークに接続されネットワーク上の画像データを取り込む取込装置や、撮影装置に接続して撮影装置内の画像データを取り込む取込装置や、撮影装置を組込み撮影された画像データを取り込む取込装置や、画像読取装置により画像データを取り込む取込装置など、各種の画像取込装置が挙げられる。
【００３９】
画像表示装置５では、画像取込装置から取り込まれ、ＲＡＭ３に格納された画像データの表示処理を行う。さらには、処理の実行ガイダンスやヘルプ、印刷プレビューといった操作を促すために必要な情報や、印刷料金表示や印刷経過表示、印刷装置のメンテナンス情報などの各種情報を表示する処理が行われる。
【００４０】
キー入力装置６では、画像プリント端末装置における各種機能の実行を促すための実行指示入力が行われ、この指示入力にもとづき処理が実行される。選択対象となる画像の選択指示や、印刷実行指示やガイダンス確認指示といった、印刷処理を実行する上で必要な指示が入力される。
【００４１】
第１の印刷装置７は、キー入力装置で指定された印刷対象となる画像を、内蔵されたインクおよび用紙を用いて、印刷処理を行うもので、カートリッジに内蔵されたインクおよび用紙を用いることなく、画像の印刷が行われるものである。
【００４２】
第２の印刷装置８は、キー入力装置で指定された印刷対象となる画像を、画像プリント端末装置の外部より提供されるカートリッジ内に内蔵されたインクおよび用紙を用いて、印刷を行うものである。
【００４３】
料金徴収装置９は、指定された画像を印刷するための印刷料金を徴収するための装置であり、料金徴収装置により印刷料金が徴収されたことを判別して、印刷処理の実行が開始されるか、印刷された印刷物を排出するかの、いずれかの処理が行われる。
【００４４】
また、第２の印刷装置８で使用されるカートリッジについては、図０２０に示すように、インク２１と用紙２２とＲＡＭ２３から構成され、ＲＡＭ２３には、用紙種別の情報や、用紙の残枚数、用紙に画像を配置するためのレイアウト情報、画像に背景などの付加情報を合成させる場合の識別情報など、カートリッジに内蔵された用紙に特化した、印刷情報が格納されている。
【００４５】
また、上記実施形態の構成による画像プリント端末装置の図を、図０３０に示す。
【００４６】
以上示した実施形態にもとづく、処理の具体的な流れを以下に示す。
【００４７】
（実施例１）
実施例１においては、本発明の画像プリント端末装置における、全体的な処理の流れの１例を示す。
【００４８】
図４に示すように、本発明の画像プリント端末装置は、電源ＯＮにより、まず、装置の初期化処理（Ｓ１００）が行われる。この初期化処理においては、システムの起動処理、ワークメモリの初期化、プリンタの接続チェックなどの処理が行われる。装置がネットワークに接続されている場合には、ネットワークの接続初期化処理も行われる。
【００４９】
初期化処理が終了すると、オーダー受付処理（Ｓ１０１）へ進み、プリントオーダーの受付待ち状態となる。受付待ち状態では、画面上に受付開始ガイダンス表示がなされ、このガイダンスにもとづき、ユーザーからの受付開始指示がなされると、画像取込処理（Ｓ１０２）へ進み、画像取込処理が開始される。
【００５０】
画像取込処理においては、装置に接続もしくは内蔵された画像取込装置により、印刷対象となる画像を取り込む処理が行われる。この時画面上には、画像取込処理に必要なユーザー操作に関して、必要なガイダンスが表示される。なお、画像取込装置としては、記憶メディアに格納されている画像データを取り込む取込装置や、ネットワークに接続されネットワーク上の画像データを取り込む取込装置や、撮影装置に接続して撮影装置内の画像データを取り込む取込装置や、撮影装置を組込み撮影された画像データを取り込む取込装置や、画像読取装置により画像データを取り込む取込装置などのうち、少なくとも１つ以上の画像取込装置が、画像プリント端末装置に接続もしくは内蔵されており、接続もしくは内蔵された画像取込装置に応じたガイダンスが表示される。
【００５１】
画像取込処理が終了すると、画像選択処理（Ｓ１０３）へ進み、印刷オーダー画像の選択指定処理が行われる。なお、画像取込処理において、エラーが発生し、画像が取り込めなかった場合には、エラーガイダンスを表示の後、オーダー受付処理へ戻り、受け付けたオーダーの印刷処理を終了させる。
【００５２】
画像選択処理においては、画像選択指定ガイダンスとともに、取り込んだ画像の一覧を画面上に表示し、印刷オーダー画像の選択指定操作をユーザーに行わせる処理が実行される。なおこの時、予め印刷オーダー指定のなされている画像がある場合には、取り込んだ画像の一覧を画面上に表示する際に、印刷オーダー指定のなされていることが識別できるような表示が行われる。
【００５３】
画像選択処理において、印刷実行指示がなされると、印刷装置選択処理（Ｓ１０４）へ進み、印刷を行う印刷装置の選択処理が実行される。印刷取消指示がなされた場合には、オーダー取消ガイダンスを表示の後、オーダー受付処理へ戻り、受け付けたオーダーの印刷処理を終了させる。
【００５４】
印刷装置選択処理においては、第１の印刷装置により、画像プリント端末装置に内蔵されたインクと用紙を用いて印刷を行うか、第２の印刷装置により、外部からカートリッジにより供給されるインクと用紙を用いて印刷を行うか、印刷装置の選択処理が行われる。本実施例においては、第２の印刷装置にカートリッジが装着されている場合、自動的に、第２の印刷装置が選択され、装着されていない場合には、第１の印刷装置が選択されるようになる。
【００５５】
具体的には、図５に示すように、まず、カートリッジ検出処理（Ｓ１１０）により、カートリッジの装着検知が行われ、カートリッジが検出されなかった場合には、第１印刷モード設定処理（Ｓ１１１）により、印刷モードに第１印刷モードを設定する処理が行われ、検出された場合には、第２印刷モード設定処理（Ｓ１１２）により、印刷モードに第２印刷モードを設定する処理が行われる。
【００５６】
印刷装置の選択が行われると、印刷料金徴収処理（Ｓ１０５）に進み、選択された印刷装置を用いて印刷した場合の印刷料金の算出を行い、料金を徴収する処理が行われる。料金の徴収方法については、現金による徴収でも、プリペイドカードによる徴収でも、キャッシュカードによる徴収でも、いずれの徴収方法でもよく、徴収方法に応じた徴収処理を用いて、料金の徴収を行う。
【００５７】
料金の徴収が行われると、印刷実行処理（Ｓ１０６）へ進み、印刷オーダーのなされた画像に対する印刷処理が実行される。料金徴収時に、印刷取消指示がなされた場合には、オーダー取消ガイダンスを表示の後、オーダー受付処理へ戻り、受け付けたオーダーの印刷処理を終了させる。
【００５８】
なお、本実施例においては、印刷実行処理の前に、料金徴収処理を行い、料金を徴収した上で、印刷処理を実行するようにしているが、印刷処理の実行後、印刷内容に応じて料金を徴収するようにして、印刷物をユーザーに提供するようにしてもよい。
【００５９】
印刷実行処理においては、図６に示すように、まず、印刷モードの識別処理（Ｓ１２０）が行われ、印刷装置選択処理（Ｓ１０４）で設定された印刷モードの識別が行われる。印刷モードに第１印刷モードが設定されている場合には、第１印刷実行処理（Ｓ１２１）が実行され、画像プリント端末装置に内蔵されたインクと用紙を用いた印刷処理が行われる。印刷モードに第２印刷モードが設定されている場合には、第２印刷実行処理（Ｓ１２２）が実行され、装着されたカートリッジに内蔵されたインクと用紙を用いた印刷処理が行われる。
【００６０】
第２印刷実行処理においては、図７に示すように、用紙種別情報取得処理（Ｓ１３０）により、カートリッジ内の記憶メモリに格納されている用紙識別情報を取得し、カートリッジ内に内蔵された用紙が、９面シールの場合には、９面シール印刷処理（Ｓ１３１）を実行し、９面シールのレイアウトによる印刷が行われ、１６面シールの場合には、１６面シール印刷処理（Ｓ１３２）を実行し、１６面シールのレイアウトによる印刷処理が行われる。その他の用紙の場合には、用紙に応じた印刷処理（Ｓ１３３）が実行され、用紙のレイアウトに応じた印刷処理が実行される。
【００６１】
そして、上記の印刷処理を、印刷オーダーされた全ての画像に対して繰り返し、オーダーされた全ての画像が印刷されるようになる。
【００６２】
以上示した処理の流れにより、本発明の画像プリント端末装置においては、外部からのカートリッジよるインクと用紙の供給が可能となり、カートリッジ毎の用紙種別に応じた印刷処理が実行でき、カートリッジを装着するだけの簡単な操作で、所望の印刷フォーマットによる印刷ができるようになる。
【００６３】
たとえば、９面シールのカートリッジを装着すれば、９面シールのレイアウトで印刷できるし、１６面シールのカートリッジを装着すれば、１６面シールのレイアウトで印刷できるようになる。
【００６４】
これにより、従来技術では為し得なかった問題点が解決できるようになり、格段の操作性の向上が図れるようになる。
【００６５】
（実施例２）
実施例２においては、本発明の画像プリント端末装置が、予め背景情報や付加情報が印刷された用紙が内蔵されたカートリッジに対して、印刷処理を行う場合の処理の流れに関して、１例を以下に示す。
【００６６】
予め背景情報や付加情報が印刷された用紙が内蔵されたカートリッジに対しては、図８に示すように、実施例１に記載した第２印刷実行処理（Ｓ１２２）の用紙種別情報取得処理（Ｓ２００）で、画像合成用紙が識別された場合の処理を追加することにより、対応が可能となる。
【００６７】
まず、用紙種別情報取得処理（Ｓ２００）で、カートリッジ内に記憶された用紙種別情報の取得を行い、画像合成用紙が識別された場合には、レイアウト情報取得処理（Ｓ２０１）へ進み、カートリッジ内の記憶メモリに格納されている、印刷オーダーされた画像を配置するためのレイアウト情報の取得を行う。
【００６８】
画像を配置するためのレイアウト情報には、図９に示すように、予め背景情報や付加情報が印刷された用紙上の特定の位置に、画像を配置するための配置情報が記述されている。具体的には、用紙上の（Ｘ＿Ｐｏｓ：Ｘ１，Ｙ＿ＰｏｓＹ１）を左上として、高さ（Ｈｅｉｇｈｔ：Ｈ１）、幅（Ｗｉｄｔｈ：Ｗ１）のエリアに、楕円（Ｆｉｌｔｅｒ：Ｃｉｒｃｌｅ１）形式で、印刷オーダー画像（Ｉｍａｇｅ：Ｐｈｏｔｏ）を配置するという記述がなされている。
【００６９】
レイアウト情報が取得されると、レイアウト印刷処理（Ｓ２０２）へ進み、レイアウト情報にもとづく、印刷処理が実行される。
【００７０】
レイアウト印刷処理においては、図１０に示すように、まず、Ｐｈｏｔｏ画像取得処理（Ｓ２２０）により、印刷を行う印刷オーダー画像の取得が行われる。次に、Ｆｉｌｔｅｒ加工処理（Ｓ２２１）により、レイアウト情報中のＦｉｌｔｅｒに指定された内容にもとづき、取得した印刷オーダー画像を加工する処理が行われ、画像配置処理（Ｓ２２２）により、配置情報で指定された用紙上の位置へ画像を配置する処理が行われ、画像印刷処理（Ｓ２２３）により、紙面上へ印刷される処理が行われる。
【００７１】
なお、画像配置処理において、プリントバッファ中の用紙の相対位置に画像が展開され、画像印刷処理において、プリントバッファ中のデータを印刷データに変換し、紙面上に印刷する処理が行われる。
【００７２】
以上示した処理の流れにより、予め背景画像や付加情報が印刷された用紙に対しても、カートリッジを装着するだけの簡単な操作で、印刷オーダー画像を合成させて印刷できるようになる。
【００７３】
これにより、従来技術では為し得なかった問題点が解決できるようになり、格段の操作性の向上が図れるようになる。
【００７４】
（実施例３）
実施例３においては、本発明の画像プリント端末装置が、装着されたカートリッジにより印刷処理を行う場合、カートリッジ内のインクおよび用紙に対して、印刷料金の割引を行う処理の流れに関して、１例を以下に示す。
【００７５】
実施例１に記載した印刷料金徴収処理（Ｓ１０５）において、図１１に示すように、まず、第１印刷料金算出処理（Ｓ３００）により、印刷オーダー画像を第１印刷装置により印刷した場合の印刷料金の算出を行う。次に、印刷モード識別処理（Ｓ３０１）により、印刷モードの識別を行い、第１印刷モードが設定されている場合には、第２印刷料金のクリア処理（Ｓ３０２）を行い、第２印刷モードが設定されている場合には、第２印刷料金算出処理（Ｓ３０３）により、印刷オーダー画像を第２印刷装置により印刷した場合の印刷料金の算出を行う。そして、印刷料金算出処理（Ｓ３０４）により、第１印刷料金算出処理で算出された印刷料金から、第２印刷料金算出処理で算出された印刷料金を差し引き、印刷料金を算出し、料金徴収処理（Ｓ３０５）により、算出された印刷料金の徴収を行う。
【００７６】
以上示した処理の流れにより、第１印刷装置により印刷する場合の１枚あたりの単価と、第２印刷装置により印刷する場合の１枚あたりの単価を、同じ金額にした場合には、算出される印刷料金は０円になり、カートリッジを装着するだけの簡単な操作で、料金を払わなくても印刷ができるようになる。
【００７７】
また、ライセンス料金の発生する画像に対しては、第１印刷装置により印刷する場合の１枚あたりの単価に印刷画像のライセンス料金を加えるだけで、カートリッジを装着した場合にも、ライセンス料金だけは徴収できるようになる。
【００７８】
これにより、従来技術では為し得なかった問題点が解決できるようになり、格段の操作性の向上が図れるようになる。さらには、カートリッジ販売ビジネスや画像販売ビジネスなど、画像プリント端末装置を利用したビジネスにも、幅広く貢献できるようになる。
【００７９】
（実施例４）
実施例４においては、本発明の画像プリント端末装置で、印刷エラーが発生した場合に、第１印刷装置を用いてリカバー印刷を行う処理の流れに関して、１例を以下に示す。
【００８０】
実施例１に記載した印刷実行処理（Ｓ１０６）において、図１２に示すように、第１印刷実行処理（Ｓ４０１）および第２印刷実行処理（Ｓ４０２）で印刷エラーが発生した場合、リカバー印刷処理（Ｓ４０３）を実行するよう処理を追加する。また、リカバー印刷処理において印刷エラーが発生した場合には、リカバー印刷処理が繰り返され、正しく印刷されるまで、印刷処理が繰り返される。
【００８１】
なお、リカバー印刷処理が正常終了した場合には、印刷モード識別処理から処理が繰り返され、印刷オーダーされた画像すべてに対して、印刷処理が実行される。このとき、印刷モードは変更されていないので、リカバー印刷が終了すると、リカバー印刷実行前の印刷モードで、継続して印刷処理が実行されるようになる。
【００８２】
リカバー印刷処理においては、印刷エラーを起こした印刷オーダー画像に対する印刷処理が、第１印刷装置を用いて再度行われるだけで、リカバー印刷による印刷料金の追加は行われない。
【００８３】
以上示した処理の流れにより、印刷エラーが発生した印刷物に対しては、無償で印刷処理を繰り返すことにより、必ず印刷エラーのない印刷物をユーザーに提供できるようになる。
【００８４】
これにより、従来技術では為し得なかった問題点が解決できるようになり、格段の操作性の向上が図れるようになる。
【００８５】
（実施例５）
実施例５においては、本発明の画像プリント端末装置で、第２印刷装置による印刷処理を行っていて、カートリッジ内のインクおよび用紙の残量がなくなった場合でも、第１印刷装置を用いて印刷処理が継続できることに関して、１例を以下に示す。
【００８６】
実施例４に記載した印刷実行処理（Ｓ１０６）において、さらに図１３に示すように、インクおよび用紙の残量がなくなった場合のシステムエラー対しても処理を追加することにより、第２印刷装置でシステムエラーが発生した場合でも、第１印刷装置を用いて、継続して印刷処理ができるようになる。
【００８７】
まず、第１印刷実行処理（Ｓ５０１）および第２印刷実行処理（Ｓ５０２）において、印刷エラーが発生した場合には、リカバー印刷処理（Ｓ５０３）が実行される。
【００８８】
また、第２印刷実行処理（Ｓ５０２）において、システムエラーが発生した場合には、印刷切替え処理（Ｓ５０４）へ進み、ユーザー確認の後、印刷モードを第１印刷モードに切替え、第１印刷実行処理（Ｓ５０１）を用いた印刷処理が継続できるようにする。なお、ユーザー確認において、印刷終了指示がなされた場合には、印刷実行処理が終了されるようにする。
【００８９】
一方、第１印刷実行処理（Ｓ５０１）およびリカバー印刷処理（Ｓ５０３）において、システムエラーが発生した場合には、メンテナンス処理（Ｓ５０５）により、画像プリント端末装置にメンテナンスアラートを表示しする。そして、装置管理者のエラー解除操作によりエラーを解除し、印刷処理が継続できるようにする。この時、リカバー印刷処理においてシステムエラーが発生した場合には、リカバー印刷処理へ、第１印刷実行処理においてシステムエラーが発生した場合には、第１印刷実行処理へ、それぞれ復帰するよう処理が進められる。
【００９０】
印刷切替え処理（Ｓ５０４）においては、図１４に示すように、まず、エラー内容格納処理（Ｓ５１０）により、第２印刷実行処理で検出されたカートリッジに関するエラー情報を、カートリッジ内の記憶メモリに格納する処理が行われる。その後、エラー内容表示処理（Ｓ５１１）により、エラーアラートおよび印刷追加料金も含めたガイダンスを端末装置の画面に表示し、ユーザーに通知する。そして、切替え指示入力処理（Ｓ５１２）により、ユーザーからの指示待ち状態となり、切替え指示がなされた場合には、第１印刷モード設定処理（Ｓ５１３）により、印刷モードを第１印刷モードに切替え、印刷料金徴収処理（Ｓ５１４）により、印刷モード切替え後に追加発生する印刷料金の徴収を行い、印刷継続指示を出力して処理を終了する。また、終了指示がなされた場合には、印刷終了指示を出力して処理を終了する。
【００９１】
なお、本実施例においては、印刷切替え処理においてユーザーの確認操作を取り込んだ処理の流れを示したが、実施例１に記載の印刷料金徴収処理（Ｓ１０５）において、カートリッジ内のインクおよび用紙の残量を検知し、印刷オーダー量に対して、インクおよび用紙の残量が足りない場合は、追加印刷料金をガイダンスした後、ユーザーの確認を取るようにしてもよく、ユーザーの継続確認が取れた場合には、継続印刷指定モード情報に「継続あり」を記憶し、継続なしの確認が取れた場合には、「継続なし」を記憶するようにする。そして、印刷切替え処理において、この継続印刷指定モード情報を識別し、「継続あり」の場合には、自動的に印刷モードを第１印刷モードに切替え、印刷継続指示を出力して処理を終了するようにし、「継続なし」の場合には、印刷終了指示を出力して処理を終了するようにしてもよい。これにより、印刷モードが自動的に切替えられ、印刷処理が継続されるようになる。
【００９２】
以上示した処理の流れにより、第２印刷装置を用いた印刷処理の実行中に、カートリッジ内のインクおよび用紙がなくなった場合、もしくはカートリッジの不良が発生した場合においても、第１印刷装置を用いて、継続して印刷処理が実行できるようになる。さらには、エラー内容がカートリッジ内の記憶メモリに記憶されるので、カートリッジ販売元において、記憶メモリを読み出すだけでエラー内容が識別できるようになる。
【００９３】
これにより、従来技術では為し得なかった問題点が解決できるようになり、格段の操作性の向上が図れるようになる。
【００９４】
（実施例６）
実施例６においては、本発明の画像プリント端末装置で、取得した印刷情報を確認した後、ユーザー操作により、第１印刷装置か第２印刷装置かを選択できる処理の流れに関して、１例を以下に示す。
【００９５】
実施例１に記載した印刷装置選択処理（Ｓ１０４）において、図１５に示すように、まず、カートリッジ検出処理（Ｓ６００）により、第２の印刷装置上にカートリッジが装着されているかどうかの検出チェックが行われ、カートリッジが検出されなかった場合には、印刷装置の選択が不可能状態となるため、第１印刷モード設定処理（Ｓ６０１）により、自動的に印刷モードを第１印刷モードに設定する処理が行われる。
【００９６】
カートリッジが検出された場合には、印刷装置の選択が可能状態となるため、第１印刷情報取得処理（Ｓ６０２）と第２印刷情報取得処理（Ｓ６０３）により、各印刷装置により印刷される用紙の用紙種別など印刷情報の取得を行い、印刷情報確認処理（Ｓ６０４）において、取得した印刷情報にもとづくユーザーの選択操作が行われ、選択操作にもとづく印刷モードの振分けが行われる。ユーザーの選択操作で、第１の印刷装置による印刷指示が選択された場合には、第１印刷モード設定処理（Ｓ６０１）により、印刷モードを第１印刷モードに設定する処理が行われ、第２の印刷装置による印刷指示が選択された場合には、第２印刷モード設定処理（Ｓ６０５）により、印刷モードを第２印刷モードに設定する処理が行われる。
【００９７】
印刷情報確認処理（Ｓ６０４）については、図１６に示すように、まず、印刷情報表示処理（Ｓ６１０）により、取得した第１印刷装置の印刷情報と第２印刷装置の印刷情報を、ガイダンスにより画面に表示する処理が行われ、印刷モード指示入力処理（Ｓ６１１）において、ガイダンス表示にもとづくユーザー操作により選択指示される印刷モードの振分けが行われる。ユーザー操作により、第１の印刷装置による印刷指示が選択された場合には、選択指示モードとして第１印刷モードを出力し、第２の印刷装置による印刷指示が選択された場合には、選択指示モードとして第２印刷モードを出力して、処理を終了する。
【００９８】
以上示した処理の流れにより、端末装置に内蔵されたインクと用紙を用いて印刷を行う場合の印刷情報と、カートリッジに内蔵されたインクと用紙を用いて印刷を行う場合の印刷情報、のそれぞれの印刷情報を確認した後に、第１の印刷装置と第２の印刷装置のどちらを用いて印刷を行うかが、選択できるようになる。また、カートリッジが装着されていない場合には、自動的に第１の印刷装置を用いて印刷を行うように選択されるようになる。
【００９９】
これにより、従来技術では為し得なかった問題点が解決できるようになり、格段の操作性の向上が図れるようになる。
【０１００】
（実施例７）
実施例７においては、本発明の画像プリント端末装置で、取得した印刷情報にもとづき印刷プレビューを表示し、印刷プレビューにより確認した後、ユーザー操作により、第１印刷装置か第２印刷装置かを選択できる処理の流れに関して、１例を以下に示す。
【０１０１】
実施例６に記載した印刷情報確認処理（Ｓ６０４）において、図１７に示すように、印刷情報表示処理（Ｓ６１０）を印刷プレビュー表示処理（Ｓ７００）に変更するだけで、印刷プレビューによる確認ができるようになる。
【０１０２】
印刷プレビュー表示処理においては、第１の印刷装置により印刷する場合の印刷情報にもとづくプレビュー表示と、第２の印刷装置により印刷する場合の印刷情報にもとづくプレビュー表示が行われ、各印刷情報の用紙種別情報に画像展開処理が行われ、この結果がプレビュー表示として画面に表示される。
【０１０３】
具体的には、用紙種別情報にもとづく各印刷処理と同様の方法により、プリントバッファへ印刷対象となる画像の展開を行い、プリントバッファに展開された画像データを、画面上のプレビュー表示エリアの解像度に合わせて解像度変換することにより、画面上へのプレビュー表示を行う。
【０１０４】
以上示した処理の流れにより、印刷情報にもとづく印刷プレビューが作成され、印刷プレビューにより、印刷情報が確認できるようになる。
【０１０５】
これにより、従来技術では為し得なかった問題点が解決できるようになり、格段の操作性の向上が図れるようになる。
【０１０６】
（実施例８）
実施例８においては、本発明の画像プリント端末装置が、第２の印刷装置に装着されたカートリッジ内の、予め用紙に印刷された背景情報や付加情報も含めて、第１の印刷装置が印刷できるようになる処理の流れに関して、１例を以下に示す。
【０１０７】
実施例１に記載した第１印刷実行処理（Ｓ１２１）において、図１８に示すように、まず、カートリッジの検出処理（Ｓ８００）が行われ、カートリッジが検出されなかった場合には、第１印刷情報印刷処理（Ｓ８０１）により、端末装置に内蔵されたインクおよび用紙を用いて印刷する場合の印刷情報にもとづく印刷処理が、第１印刷装置を用いて行われる。カートリッジが検出された場合には、第２印刷情報印刷処理（Ｓ８０２）により、装着されたカートリッジ内に内蔵されたインクおよび用紙を用いて印刷する場合の印刷情報にもとづく印刷処理が、第１印刷装置を用いて行われる。
【０１０８】
第２印刷情報印刷処理（Ｓ８０２）における、予め背景情報や付加情報が印刷された用紙が内蔵されたカートリッジに対する印刷処理は、図８に示した第２印刷実行処理と同様の処理の流れにより処理が進められ、レイアウト印刷処理（Ｓ２０２）を、図１９に示す処理の流れに沿って変更を加えることにより、第１の印刷装置においても印刷ができるようになる。
【０１０９】
ます、用紙種別情報取得処理（Ｓ２００）で、カートリッジ内に記憶された用紙種別情報の取得を行い、画像合成用紙が識別された場合には、レイアウト情報取得処理（Ｓ２０１）へ進み、カートリッジ内の記憶メモリに格納されている、印刷オーダーされた画像を配置するためのレイアウト情報の取得を行う。
【０１１０】
画像を配置するためのレイアウト情報には、図２０に示すように、予め背景情報や付加情報が印刷された用紙上の特定の位置に、画像を配置するための配置情報と用紙上に印刷された背景情報や付加情報の配置情報が記述されている。
【０１１１】
具体的には、レイアウト情報１に、用紙上の（Ｘ＿Ｐｏｓ：Ｘ１，Ｙ＿Ｐｏｓ：Ｙ１）を左上として、高さ（Ｈｅｉｇｈｔ：Ｈ１）、幅（Ｗｉｄｔｈ：Ｗ１）のエリアに、楕円（Ｆｉｌｔｅｒ：Ｃｉｒｃｌｅ１）形式で、印刷オーダー画像（Ｉｍａｇｅ：Ｐｈｏｔｏ）を配置するという記述がなされ、レイアウト情報２に、用紙上の（Ｘ＿Ｐｏｓ：Ｘ２，Ｙ＿Ｐｏｓ：Ｙ２）を左上として、高さ（Ｈｅｉｇｈｔ：Ｈ２）、幅（Ｗｉｄｔｈ：Ｗ２）のエリアに、通常（Ｆｉｌｔｅｒ：Ｎｕｌｌ）形式で、文字列画像（Ｉｍａｇｅ：Ｓｏｎ．ｉｍｇ）を配置するという記述がなされ、レイアウト情報３に、用紙上の（Ｘ＿Ｐｏｓ：Ｘ３，Ｙ＿Ｐｏｓ：Ｙ３）を左上として、高さ（Ｈｅｉｇｈｔ：Ｈ３）、幅（Ｗｉｄｔｈ：Ｗ３）のエリアに、通常（Ｆｉｌｔｅｒ：Ｎｕｌｌ）形式で、イラスト画像（Ｉｍａｇｅ：Ｂｏｙ．ｉｍｇ）を配置するという記述がなされ、レイアウト情報４に、用紙上の（Ｘ＿Ｐｏｓ：Ｘ４，Ｙ＿Ｐｏｓ：Ｙ４）を左上として、高さ（Ｈｅｉｇｈｔ：Ｈ４）、幅（Ｗｉｄｔｈ：Ｗ４）のエリアに、通常（Ｆｉｌｔｅｒ：Ｎｕｌｌ）形式で、文字列画像（Ｉｍａｇｅ：Ｎａｍｅ．ｉｍｇ）を配置するという記述がなされている。
【０１１２】
レイアウト情報が取得されると、レイアウト印刷処理（Ｓ２０２）へ進み、レイアウト情報にもとづく、印刷処理が実行される。
【０１１３】
レイアウト印刷処理においては、図１９に示すように、まず、Ｉｍａｇｅタグ識別処理（Ｓ８１０）により、レイアウト情報中のＩｍａｇｅタグの識別が行われ、Ｐｈｏｔｏ属性が識別された場合には、Ｐｈｏｔｏ画像取得処理（Ｓ８１１）により、印刷を行う印刷オーダー画像の取得が行われ、ｉｍｇ属性が識別された場合には、ｉｍｇ画像取得処理（Ｓ８１２）により、用紙上に印刷されたｉｍｇ画像の取得が行われ、その他の属性が識別された場合には、属性に応じた画像取得処理（Ｓ８１３）により、用紙上に印刷されたその他の属性の画像取得が行われる。
【０１１４】
上記画像取得処理において、レイアウト情報中のＩｍａｇｅタグに画像の格納先も記述し、この格納先も含めて参照することにより、画像の格納先が、画像プリント端末装置内であるなら、画像プリント端末装置内の画像格納エリアから画像を取得し、ネットワーク上のサーバー格納エリアに格納されている場合には、ネットワークを介して画像を取得し、印刷画像取込メディアに添付されている場合には、印刷画像取込メディアから取得し、カートリッジ内の記憶メモリに格納されている場合には、カートリッジ内の記憶メモリから取得するよう、処理を行うことができる。
【０１１５】
次に、Ｆｉｌｔｅｒ加工処理（Ｓ８１４）により、レイアウト情報中のＦｉｌｔｅｒに指定された内容にもとづき、取得した印刷オーダー画像を加工する処理が行われ、画像配置処理（Ｓ８１５）により、配置情報で指定された用紙上の位置へ画像を配置する処理が行われる。
【０１１６】
そして、上記の処理を繰り返すことにより、全てのレイアウト情報に対して画像の展開処理が行われ、画像印刷処理（Ｓ８１６）により、紙面上へ印刷する処理が行われる。
【０１１７】
なお、画像配置処理において、プリントバッファ中の用紙の相対位置に画像が展開され、画像印刷処理において、プリントバッファ中のデータを印刷データに変換し、第１の印刷装置により、端末装置に内蔵されたインクと用紙を用いて、紙面上に印刷する処理が行われる。
【０１１８】
以上示した処理の流れにより、カートリッジ内の用紙に、予め印刷された背景画像や付加情報についても、第１の印刷装置を用いて印刷することができるようになり、カートリッジを装着しておけば、第１印刷モードで印刷モードを切替えても、リカバー印刷において、第１の印刷装置を用いた印刷処理を行った場合でも、カートリッジ内の用紙に印刷されている背景画像や添付情報も含めた印刷ができるようになる。
【０１１９】
これにより、従来技術では為し得なかった問題点が解決できるようになり、格段の操作性の向上が図れるようになる。
【０１２０】
【発明の効果】
以上の実施例に示した処理を実現させることにより、（発明が解決しようとする課題）で示した問題点が解決でき、さらに優れた操作性を提供できるようになる。
【図面の簡単な説明】
【図１】本発明の機器の構成を示す機器ブロック図
【図２】本発明の機器の構成を示す機器ブロック図
【図３】本発明の機器の構成を示す機器ブロック図
【図４】実施例１を説明するためのフローチャート
【図５】実施例１を説明するためのフローチャート
【図６】実施例１を説明するためのフローチャート
【図７】実施例１を説明するためのフローチャート
【図８】実施例２を説明するためのフローチャート
【図９】実施例２を説明するためのフローチャート
【図１０】実施例２を説明するためのフローチャート
【図１１】実施例３を説明するためのフローチャート
【図１２】実施例４を説明するためのフローチャート
【図１３】実施例５を説明するためのフローチャート
【図１４】実施例５を説明するためのフローチャート
【図１５】実施例６を説明するためのフローチャート
【図１６】実施例６を説明するためのフローチャート
【図１７】実施例７を説明するためのフローチャート
【図１８】実施例８を説明するためのフローチャート
【図１９】実施例８を説明するためのフローチャート
【図２０】実施例８を説明するためのフローチャート
【図１】
2004167927.tif 000003
【図２】
2004167927.tif 000004
【図３】
2004167927.tif 000005
【図４】
2004167927.tif 000006
【図５】
2004167927.tif 000007
【図６】
2004167927.tif 000008
【図７】
2004167927.tif 000009
【図８】
2004167927.tif 000010
【図９】
2004167927.tif 000011
【図１０】
2004167927.tif 000012
【図１１】
2004167927.tif 000013
【図１２】
2004167927.tif 000014
【図１３】
2004167927.tif 000015
【図１４】
2004167927.tif 000016
【図１５】
2004167927.tif 000017
【図１６】
2004167927.tif 000018
【図１７】
2004167927.tif 000019
【図１８】
2004167927.tif 000020
【図１９】
2004167927.tif 000021
【図２０】
2004167927.tif 000022